(57)【要約】【課題】  軟弱な地盤の上に住宅などの構造物を建築する際、できるだけ低い費用で地盤沈下を確実に防止でき、しかも地中に大きな変化を与えず環境面にも優れた地盤の改良方法を提供すること。【解決手段】  直立させたスクリュードリル１を回転させながら地表面に突き刺し、スクリュードリル１の周囲に螺旋状に接合された羽根３の先端の切羽４を地盤５に食い込ませてから、羽根３による推進力でスクリュードリル１を地盤５に進入させて、地盤５をスクリュードリル１の半径方向に押しやることで穴６を形成した後、スクリュードリル１を逆回転させて地盤５から抜き取ってから、穴６に骨材７を詰め込んで強化層８を構築して、この強化層８の上に基礎１０を施工して構造物１１を支持する。このように砕石を素材とする柱状の強化層８を地中に設ける方法で地盤５を改良するため、地中に有害物質が発生することなく、しかも人工物を埋設することもなく、さらにスクリュードリル１で効率よく施工が行えるため、費用の増加も抑制できる。【選択図】      図１  
2006016860.tif 000002
【特許請求の範囲】
【請求項１】
直立させたスクリュードリル（１）を回転させながら地表面に突き刺し、スクリュードリル（１）の羽根（３）を地盤（５）に食い込ませてから、羽根（３）による推進力でスクリュードリル（１）を所定の深さまで埋没させて、地盤（５）をスクリュードリル（１）の半径方向に押しやることで穴（６）を形成した後、スクリュードリル（１）を逆回転させて地盤（５）から抜き取ってから、前記穴（６）に骨材（７）を詰め込んで強化層（８）を構築して、該強化層（８）によって構造物（１１）を支持することを特徴とする地盤の改良方法。
【請求項２】
前記のようにスクリュードリル（１）を所定の深さまで埋没させた後、スクリュードリル（１）が垂直方向に移動することを防止しながら回転を継続して、羽根（３）により地盤（５）中の土砂を地表面にすくい上げてから、スクリュードリル（１）を地盤（５）から抜き取ることを特徴とする請求項１記載の地盤の改良方法。
【請求項３】
前記強化層（８）を構築する際、穴（６）の中に少量だけ骨材（７）を投入してから、穴（６）に転圧パイプ（９）を差し込んで骨材（７）を突き固める工程を複数回繰り返すことで、穴（６）全体に骨材（７）を詰め込むことを特徴とする請求項１または２記載の地盤の改良方法。
【請求項４】
円筒状の胴体（２）と、該胴体（２）の周囲に螺旋状に接合された羽根（３）と、から構成され、且つ胴体（２）は先端に向かって先細り形状に形成されていることを特徴とするスクリュードリル。
【請求項５】
前記羽根（３）の突出長さは、胴体（２）の最大直径の５分の１から２０分の１の範囲であることを特徴とする請求項４記載のスクリュードリル。
【請求項６】
前記羽根（３）は、胴体（２）の先端から基端に向かうに連れ、厚さが減少することを特徴とする請求項４または５記載のスクリュードリル。
【請求項７】
胴体（２）の先端付近には、外部の気圧が低下した場合に空気を送ることのできる空気供給手段（２１ａ）を備えたことを特徴とする請求項４，５または６記載のスクリュードリル。
【請求項８】
スクリュードリル（１）の胴体（２）とほぼ同形に形成され、端面には加圧部（１９）が形成されていることを特徴とする転圧パイプ。
【請求項９】
前記加圧部（１９）には、外部の気圧が低下した場合に空気を送ることのできる空気供給手段（２１ｂ）を備えていることを特徴とする請求項８記載の転圧パイプ。
【発明の詳細な説明】
【技術分野】
【０００１】
本発明は、軟弱な地盤の上に住宅や道路や擁壁などを建築する際、これら構造物の沈下を防止するための地盤の改良方法と、それに使用するスクリュードリルと転圧パイプに関する。
【背景技術】
【０００２】
湖沼や水田などを造成した軟弱な地盤に住宅などを建築する場合、べた基礎などを採用しても地盤が急速に沈下する恐れがあり、これを防止するには何らかの地盤改良が必要である。この地盤改良の例としては、地中深さ１ｍ程度までセメント等の固化材を散布して撹拌を行い、固化材の凝固により地盤全体を硬化させる表層改良工法や、この表層改良工法でも手に負えない場合、地中に固化材と土を混合した柱を構築する柱状改良工法や、金属パイプを打ち込む鋼管杭工法などが挙げられる。これら以外にも、下記特許文献１のような方法も開発されており、地盤沈下を防止する工法は既に確立されている。
【特許文献１】特許第３４５０７２５号
【発明の開示】
【発明が解決しようとする課題】
【０００３】
上記のような表層改良工法や柱状改良工法は、これまでの施工実績も多く、その効果も認められているが欠点も抱えている。まず表層改良工法は、地中に腐葉土層などがある場合、セメントが凝固しないことがあり、また地質によってはセメントとの化学反応により六価クロムなどの有害物質が発生する危険がある。そのほか、表層改良工法・柱状改良工法・鋼管杭工法のいずれも、地中にコンクリート塊や杭などの人工物を埋設した状態になり、後年に土地を売却する場合、これら人工物を撤去するよう要求される懸念がある。そして実際にこれらの撤去を行うと大きな費用負担が必要になり、土地取引に影響を与えることが予想される。
【０００４】
また特許文献１による方法は、砕石を用いたパイルを地中に形成するが、この場合、単に地中に砕石が埋まっているだけであり、土地を売却する際、これを取り除いて現状を回復する必要はない。しかし当該発明を実際に行う場合は、加圧した空気や水が必要で、掘削機以外にこれら流体を取り扱うための機械設備が大掛かりになり、費用の増加も避けられない。したがって予算の厳しい住宅用途などでは、利点を考慮しても採用が見送られる場合が多い。
【０００５】
本発明はこうした実情を基に開発されたもので、軟弱な地盤の上に住宅などの構造物を建築する際、できるだけ低い費用で地盤沈下を確実に防止でき、しかも地中に大きな変化を与えず環境面にも優れた地盤の改良方法と、それに使用するスクリュードリルと転圧パイプの提供を目的としている。
【課題を解決するための手段】
【０００６】
前記の課題を解決する請求項１記載の発明は、直立させたスクリュードリルを回転させながら地表面に突き刺し、スクリュードリルの羽根を地盤に食い込ませてから、羽根による推進力でスクリュードリルを所定の深さまで埋没させて、地盤をスクリュードリルの半径方向に押しやることで穴を形成した後、スクリュードリルを逆回転させて地盤から抜き取ってから、前記穴に骨材を詰め込んで強化層を構築して、該強化層によって構造物を支持することを特徴とする地盤の改良方法である。
【０００７】
本発明は、軟弱な地盤にスクリュードリルで穴を施工して、この穴に砕石などの骨材を詰め込み、この骨材による強化層で住宅などの構造物の荷重を受け止めるものである。スクリュードリルは細長形状であり、鋭利な先端を地盤に対向させて、反対の基端側に回転を付与する機械を取り付ける。またスクリュードリルの外周には螺旋状の羽根が接合されており、スクリュードリルを直立させて羽根を地盤に接触させてから、スクリュードリルを回転させると、羽根によって推進力が発生して、自立的に地盤に埋没していく。
【０００８】
スクリュードリルが埋没すると軟弱な地盤が周囲に押し出されて、穴が形成されるが、この際、押し出しで地盤に圧力が加わると、土の密度が上昇すると共に水分が絞り出されて流動性が減少するため、穴の周囲の土壁は硬化して崩壊しにくくなる。そのためスクリュードリルを設計時に定めた所定の深さまで埋没させてから、回転方向を反転させてスクリュードリルを抜き取った後も、穴を構成する土壁は崩壊せず、穴に砕石などの骨材を詰め込むことができる。この骨材を突き固めて周辺の地盤に食い込ませた強化層を構築すると、地盤の中に押し入った骨材により荷重を広い範囲に分散して、地盤沈下を抑えることができる。
【０００９】
スクリュードリルによって形成される穴を一層安定させるには、請求項２記載の発明のようにスクリュードリルを所定の深さまで埋没させた後、スクリュードリルが垂直方向に移動することを防止しながら回転を継続して、羽根により地盤中の土砂を地表面にすくい上げてから、スクリュードリルを地盤から抜き取る。このような方法により、スクリュードリルの押圧で密度が高くなった土砂の一部を地表面にすくい上げることで、密度を低下させて土壁を押し戻そうとする力を軽減できる。この作業は、ある程度の土砂がすくい上げられた時点で終了でき、スクリュードリルを取り巻く土砂を全てすくい上げる必要はない。なおスクリュードリルを抜き取る際、羽根周辺の土砂が少ない場合は、逆回転を与えずに持ち上げてもよい。
【００１０】
強化層をより強固なものとするには、請求項３記載の発明のように強化層を構築する際、穴の中に少量だけ骨材を投入してから、穴に転圧パイプを差し込んで骨材を突き固める工程を複数回繰り返すことで、穴全体に骨材を詰め込むことが望ましい。ここで骨材を少量投入するとは、穴全体に一度に骨材を投入するのではなく、一度の投入量を制限して段階的に骨材を詰めていくことを指し、投入を終えるごとに棒状の転圧パイプを差し込んで突き固めを行い、これを繰り返して強化層を構築する。このような方法により骨材が均等に突き固められ、またいずれの深さでも骨材が周辺の地盤に食い込んでいくため、強化層が強固なものとなり、荷重もより広範囲に分散できる。
【００１１】
前記スクリュードリルは請求項４記載の発明のように、円筒状の胴体と、該胴体の周囲に螺旋状に接合された羽根と、から構成され、且つ胴体は先端に向かって先細り形状に形成されている。ここで胴体は内部が空洞の略円筒形状だが、先端を流線形のような先細り形状とすることで、地盤に埋没する際に少ない抵抗で土砂を周囲に押しやることができ、また必要となる回転力も軽減できる。そして胴体周囲のほば全域に、鋼板などを螺旋状に接合して形成された羽根を備えることで、木ネジなどと同様の原理で、軸心方向への推進力が発生する。
【００１２】
スクリュードリルの形状の詳細は限定されないが、請求項５記載の発明のように羽根の突出長さは、胴体の最大直径の５分の１から２０分の１の範囲とすると、穴の周囲を最も効果的に強化できる。ここで羽根の突出長さとは、胴体の外周から羽根の外縁までの距離を示し、この突出長さが短いと、羽根による推進力が不足して地盤中へ埋没できず、また突出長さが大きいと羽根と地盤との摩擦が増加するため回転力も増やす必要があるほか、羽根により穴の周囲が攪乱される。このような点を考慮すると羽根の突出長さは上記の数値範囲とすることで、少ない回転力でより健全な穴を施工できる。
【００１３】
また請求項６記載の発明のように、羽根は、胴体の先端から基端に向かうに連れ、厚さを減少させることで、強度を向上させながら回転力の低減も可能である。先端付近の羽根は地盤を切り裂きながら突き進むため、受ける荷重も大きくなり、これに対応して羽根の厚さを増やして、反対側の基端部は既に切り裂かれた地盤を進むため、厚さを減らす。このように構成することで、羽根先端の強度が高くなり異物に対しても対抗でき、また基端部を薄くすることで地盤との摩擦が少なくなり、必要となる回転力を軽減できる。
【００１４】
スクリュードリルが所定の深さまで到達した後、逆回転させて地盤から抜き取る際、地質によってはスクリュードリルの後退に伴い、地盤中の圧力低下による穴周囲の土壁の脆弱化があるため、請求項７記載の発明のように胴体の先端付近には、外部の気圧が低下した場合に空気を送ることのできる空気供給手段を備えることが望ましい。これによってスクリュードリルを抜き取る際、穴の体積が増加して中の気圧が低下すると、直ちにスクリュードリルから空気が供給されて圧力低下を予防でき、穴の健全性が維持できる。空気供給手段の例としては、胴体に弁のような可動部を設けて、外部の圧力が下がると内圧に押されて弁が開放して、空気を外部に放出できる構造などが挙げられる。
【００１５】
骨材を突き固めるための転圧パイプは、請求項８記載の発明のように、スクリュードリルの胴体とほぼ同形に形成され、端面には加圧部が形成されているものを使用する。転圧パイプは、単に突き固めを行うだけならば、どのような形状でも問題はないが、このようにスクリュードリルの胴体とほぼ同一の形状とすると、形成された穴との間に生じる隙間が小さくなり、砕石が上方に浮き上がることがなく、また転圧パイプ側面で穴の周囲を支持できるため、押圧時の衝撃で穴が崩壊することも予防できる。また端面の加圧部は、骨材を強い圧力で押圧することから、強度が高められている。なお転圧パイプは中実でも構わないが、軽量化のため強度を確保した上で中空が好ましい。
【００１６】
転圧パイプは、骨材を押圧した後、次に備えて引き上げられるが、この際、加圧部と骨材との間に空気が入り込まないと、この箇所の気圧が低下する。そこで請求項９記載の発明のように、加圧部に、外部の気圧が低下した場合に空気を送ることのできる空気供給手段を備えることが望ましい。これによって骨材と転圧パイプと土壁によって囲まれた空間の圧力低下を防止でき、穴の健全性を維持できる。なお空気供給手段の例としては、請求項７記載の発明と同様、弁を設けるなどが挙げられる。
【発明の効果】
【００１７】
請求項１記載の発明のように、スクリュードリルを地盤に埋没させて、周辺の地盤を外に押しやることで地盤に圧力が加わり、水分が絞り出されて流動性が減り、スクリュードリルを抜き取った後も土壁が崩壊しない。したがって砕石などの骨材を十分に詰め込むことができ、骨材を突き固めて地盤と密に絡み合わた強化層を構築して、これによって強化層の上に構築される構造物の荷重を地盤に広く分散させることが可能で、地盤沈下を抑制できる。しかも地盤には、砕石などの骨材が詰められるだけで、有害物質の発生や撤去の問題も発生しない。さらに本発明は、基本的にスクリュードリルとこれを回転させる機械があれば施工可能で、設備費用が軽減できるほか、作業が単純なことから所要時間も短縮できる。
【００１８】
請求項２記載の発明のように、スクリュードリルの移動を規制しながら回転を続けることで、羽根により土砂を地表面にすくい上げることができ、これによって穴周辺の土圧を軽減できるため、穴の健全性が一層向上する。また請求項３記載の発明のように、骨材の投入と突き固めを段階的に行うことで、強化層の密度が均一になり、しかも全域で骨材が地盤に食い込むため、地盤の支持力が向上する。
【００１９】
請求項４記載の発明のように、胴体の周囲に羽根を接合したスクリュードリルを使用することで、羽根による推進力を利用して胴体を軟弱地盤に埋没させることが可能で、しかも胴体を先細り形状とすることで、地盤を円滑に外周方向に押しやることできる。また請求項５記載の発明のように羽根の突出長さを規定することで、胴体を埋没させるための十分な推進力が確保され、さらに羽根と地盤との間で生じる摩擦も抑制でき、理想的な状態で地盤を押しやり穴周囲の土壁の強化を実現する。そのほか請求項６記載の発明のように羽根の厚さを変化させることで、地盤と激しく接触する先端付近では耐久性を向上でき、一方で基端付近では摩擦を少なくして所要動力を軽減できる。
【００２０】
請求項７記載の発明のように、スクリュードリルに空気供給手段を設けることで、地盤中に埋没したスクリュードリルを抜き取る際に、地盤とスクリュードリル先端との間に形成される穴内部の圧力低下を防止でき、周囲の土壁の崩れを予防して作業の信頼性が向上する。
【００２１】
請求項８記載の発明のように、転圧パイプをスクリュードリルの胴体とほぼ同形状に形成することで、骨材を突き固めている最中に、衝撃で穴が崩壊したり骨材が上方に浮き上がることを防止でき、円滑に突き固めを遂行できる。また請求項９記載の発明のように転圧パイプの加圧部に空気供給手段を備えることで、押圧後に転圧パイプを引き上げる際に、穴の中の圧力低下を防止でき、周囲の土壁が崩れを予防して作業の信頼性が向上する。
【発明を実施するための最良の形態】
【００２２】
図１は、本発明による地盤５の改良方法の概要を時系列で示すものである。まず図１（Ａ）は作業を始める前の段階で、地盤５は荷重を加えると徐々に沈んでいく軟弱な状態で、ここにスクリュードリル１を打ち込むため、先端を下に向けて垂直に吊り下げる。スクリュードリル１を徐々に下降していくと、スクリュードリル１の先端が地盤５の中に突き刺さる。この段階でスクリュードリル１を軸心を中心として所定の方向に回転させると、羽根３先端の切羽４が地盤５に突き刺さってから羽根３が地盤５に食い込み、スクリュードリル１を地盤５に埋没させる推進力が発生する。スクリュードリル１に矢印で示す向きに回転を与えて、所定の深さまで埋め込んだ状態が図１（Ｂ）である。スクリュードリル１は、先端に向かうに連れ先細りになる導入部が形成されており、このため図中の矢印で示すように、地盤５は概ね水平方向に押し出されて、この際の圧力上昇により脱水作用や圧密作用が働くため、周辺の地盤５の流動性が低下して硬く締まった状態になり、これによって地盤５中に穴６が形成される。
【００２３】
スクリュードリル１が設計時に定められた深さに到達すると、今度は図１（Ｃ）のように回転方法を反転させて、羽根３による推進力でこれを地盤５から抜き取る。穴６の周辺は、スクリュードリル１の直径に相当する範囲まで圧密されて、土質の変化した改質域１３が形成される。したがって土壁が急速に崩壊することはないが、できるだけ早く穴６の中に砕石などの骨材７を投入する。骨材７は、途中に空洞が生じないよう高密度に敷き詰めていき、さらに時間の経過による沈み込みを防ぐため、転圧機などを用いて突き固める。これによって骨材７が垂直方向に敷き詰められた強化層８が形成され、この上に図１（Ｄ）のように基礎１０を構築して住宅などの構造物１１を建築することで、地盤沈下を防止する。なお基礎１０の施工に先立って、強化層８に設計荷重の三倍程度の力を与えて、沈み込みがないことを確認することが望ましい。
【００２４】
図２は、本発明によるスクリュードリル１の形状例を示す。図２（Ａ）は平面図で、また図２（Ｂ）は正面図で、図２（Ｃ）は、Ａ−Ａ断面図である。本品は、汎用の鋼管を利用した円形断面の胴体２と、この周囲を螺旋状に取り巻く羽根３から構成され、胴体２の上部にはオーガなどを取り付けるため角棒を用いたグリップ部１２が形成されている。また胴体２上方は単純な円柱形だが、下方は円錐形状の先細りになっており、滑らかに地盤５を押し広げることができる。さらにスクリュードリル１の最先端は、地盤５との接触が最も激しいことから、厚さを増加した上で先端を鋭利に形成している。羽根３は、胴体２全体に同一ピッチで接合しており、羽根３の先端には、円滑に地盤５に食い込んでいけるよう鋭利に形成された切羽４を備え、地盤５に埋まっている異物にぶつかった際も、これらを押しのける。そのほか胴体２の内部には、後記の空気供給手段２１ａとして機能するパイプ２６ａが差し込まれており、この端部は胴体２の上方で外部に露出している。
【００２５】
図２に描かれたスクリュードリル１は、全長が２．３ｍ、胴体２の最大直径が４００ｍｍ、胴体２の先細り区間の長さは１．５ｍで、また螺旋状に接合された羽根３のピッチは２００ｍｍ、胴体２からの突出長さは全域で２５ｍｍである。なお羽根３の厚さについて、切羽４から二ピッチまでは１２ｍｍだが、この後の中間部分は９ｍｍとなり、基端寄りは６ｍｍとしている。このように羽根３の厚さを変えることで、強度の確保と摩擦の軽減を両立しており、また羽根３の厚さが変わる箇所では、極端な段差が生じないよう仕上げ加工がされている。スクリュードリル１の大きさは、ここに描かれたものが標準的だが、地質や耐荷重などの条件によって最適な形状のものを都度選択して使用する。
【００２６】
スクリュードリル１を使用する際の状態を図３に示す。なお図３（Ａ）は作業開始前で、図３（Ｂ）は作業中である。スクリュードリル１を回転させるため、グリップ部１２はオーガ１６の中にはめ込まれており、オーガ１６は自走式パワーショベル１４のアーム１５先端に取り付けられている。パワーショベル１４は自在に移動できるため、位置調整は極めて簡単であり、またスクリュードリル１の高さは、アーム１５の姿勢を変えて調整できる。このため素早く目的の位置に移動して直ちに作業を始めることができ、場所を変えて同じ作業を繰り返す場合も、極めて効率が高い。なおオーガ１６の駆動には油圧を用いるが、これはパワーショベル１４から供給され、始動や停止のほか回転方向の切り替えも運転席からのレバー操作で行える。
【００２７】
穴６を施工する際は、パワーショベル１４の位置調整が終わってから、オーガ１６を作動させてアーム１５を下降していくと、スクリュードリル１先端が地盤５に接触して、羽根３が地盤５に食い込み始める。これ以降は羽根３によって推進力が発生するため、アーム１５は自由に移動できる状態にして、スクリュードリル１が所定の深さに到達するのを待つ。またスクリュードリル１が埋没した後、羽根３を利用して土砂をすくい上げる場合は、アーム１５を固定してオーガ１６だけを作動させる。そしてスクリュードリル１を地盤５から抜き取る際は、オーガ１６の回転方向を反転させるが、この際はアーム１５も同期させて持ち上げる。
【００２８】
図４は、スクリュードリル１によって地盤５中の土砂をすくい上げる場合の施工方法を示し、土圧が高い場合に適用される。図４（Ａ）は穴６の施工途中を示し、スクリュードリル１は矢印で示す方向に回転して、下向きに移動している。そして所定の深さに到達すると、図４（Ｂ）のようにスクリュードリル１の回転は続けるものの、上下方向への移動を押さえ込む。そうするとスクリュードリル１によって押し出された土砂は、反力によってスクリュードリル１の周辺に押し戻され、土砂は羽根３によって矢印のようにすくい上げられ、地表面に排出土２０が蓄積する。そしてある程度の土砂がすくい上げられると、穴６の周囲が次第に安定して、土砂の押し戻しもなくなるため、図４（Ｃ）のようにスクリュードリル１に回転を与えず、単に持ち上げるだけでも抜き取りが可能であり、最終的には図４（Ｄ）のような、改質域１３によって取り囲まれた穴６が完成して、以降は図１と同様に強化層８を構築する。
【００２９】
図５は、比較的地盤５が固い場合に適応される施工方法で、スクリュードリル１を使用する前にアースドリル１７を用いており、図５（Ａ）は、アースドリル１７を用いて下穴１８を施工している段階である。アースドリル１７は、先端で削り取った土砂を螺旋に沿って上方にすくい上げるもので、オーガなどの建設機械に基端部を支持され回転が与えられる。この場合は下穴１８の施工時、周囲の土壁の性質はほとんど変化がなく、アースドリル１７を抜き取った後は、短時間で土壁が崩れることもある。したがって図５（Ｂ）のように下穴１８の形成が終わりアースドリル１７を抜き取った後は、速やかに図５（Ｃ）のようにスクリュードリル１を用いて下穴１８の周囲を押し固めて、より健全な穴６を形成する。図５（Ｄ）はスクリュードリル１を抜き取った状態で、以降は図１と同様に強化層８を構築する。
【００３０】
図６は、強化層８の構築方法の一例で、スクリュードリル１を抜き取った後に骨材７を詰め込む方法を示す。まず図６（Ａ）は穴６の施工が終わった段階で、内部は単なる空洞で深さは約２ｍである。その後、図６（Ｂ）のように穴６の中に骨材７を投入するが、この高さが約０．５ｍに達した段階で投入を一旦終えて、以降は図６（Ｃ）のように転圧パイプ９を穴６の中に差し入れて加圧部１９を骨材７に接触させてから、設計荷重の二倍程度の荷重を加えて突き固める。転圧パイプ９は、スクリュードリル１の胴体２とほぼ同じ形状であり、底面の加圧部１９は、変形が生じないよう強度を高めている。なお穴６と転圧パイプ９との間の隙間が少ないため、突き固めの最中に骨材７が浮かび上がったり、穴６の土壁が衝撃で崩壊することはない。突き固めが一旦終了すると、図６（Ｄ）のように再び高さ約０．５ｍだけ骨材７を詰め込んでから、図６（Ｅ）のように転圧パイプ９で突き固めを行い、最終的に図６（Ｆ）のような強化層８が完成する。なお穴６の深さや一回で投入する骨材７の量は都度異なり、ここに記載したものは一例に過ぎない。
【００３１】
図７は、本発明による地盤改良を行い、この上に住宅などの構造物１１を建築した場合の状況を示す断面図である。前記のようにスクリュードリル１で地盤５に穴６を施工してから、骨材７を高密度に詰め込んで強化層８を形成すると、骨材７は広く周囲の地盤５に食い付き、荷重を広範囲に分散できるため、この上に構造物１１を載せても地盤沈下はほとんど発生しない。なお一カ所の強化層８では受け止められる荷重に限度があり、通常は数ｍの間隔で連続的に施工を行うほか、建物の一部が二階建てなどの場合には、荷重に偏りが生じるので、これに対応して強化層８の配置を調整することもある。この図のように通常、地盤５は深さに応じて複数の地層から構成され、一般に地表面に近い側が柔らかい傾向にあるが、本発明では強化層８が粘性土など、ある程度の強度が期待できる層に到達して、所要の性能を発揮する。
【００３２】
ところで図１（Ｂ）に示すように、スクリュードリル１を地盤５に打ち込み所定の深さに到達すると、今度は図１（Ｃ）のように逆回転させて抜き取りを行うが、この際スクリュードリル１が上昇することで、地盤５とスクリュードリル１とに囲まれた穴６は、外部から空気の入り込む余地がなく、圧力が低下して土壁が不安定になる場合がある。
【００３３】
これを防止する対策としては図８のように、スクリュードリル１に空気供給手段２１ａを設けて、穴６の圧力低下を予防する方法がある。この空気供給手段２１ａは、通気口２２ａ・弁２３ａ・支点２４ａ・ストッパ２５ａ・パイプ２６ａから構成され、スクリュードリル１の先端付近の胴体２を切り欠いて形成した通気口２２ａから外部に空気を排出する。ただし通気口２２ａは、掘削時に土砂などが胴体２に進入しないよう塞ぐ必要があり、そのため弁２３ａを備えている。弁２３ａは胴体２に取り付けられた支点２４ａにより回動可能に支持され、その移動範囲はストッパ２５ａとパイプ２６ａにより規制されている。外部の圧力が高い場合、弁２３ａはストッパ２５ａに密着しており、通気口２２ａは完全に密閉されるが、外部の圧力が下がると、弁２３ａが移動して通気口２２ａが開放され、空気が外部に送られる。この空気は、胴体２内部を貫通しているパイプ２６ａから供給されるが、パイプ２６ａの端部は図２に示すように胴体２の基端部で外部に突出しており、常に大気圧を維持する。
【００３４】
掘削の途中では図８（Ａ）のように、弁２３ａが外の土砂に押されてストッパ２５ａに接触して、密閉性が維持される。また掘削を終えて後退を始めると、スクリュードリル１先端付近の圧力が低下して、図８（Ｂ）のように、弁２３ａがパイプ２６ａからの空気に押されて開放して、空気を外部に供給できる。
【００３５】
転圧パイプ９も骨材７を突き固める際、周囲を土壁に囲まれることから、押圧を行った後に引き上げる際、加圧部１９と骨材７との間の圧力が低下する恐れがある。そこで図９のように転圧パイプ９の加圧部１９にも空気供給手段２１ｂを設けて、外部の圧力が低下した場合、通気口２２ｂから空気を送り込める構造とする。この構造は図８に提示したものと同一で、弁２３ｂは支点２４ｂを中心に回動可能に支持され、パイプ２６ｂは転圧パイプ９内を貫通している。図９（Ａ）は、突き固めを行っている際の状態で、弁２３ｂはストッパ２５ｂで受け止められて密閉されており、また図９（Ｂ）は、加圧部１９周辺の圧力が低下して、パイプ２６ｂからの空気に押されて弁２３ｂが開いている。なお弁２３ｂは、パイプ２６ｂに接触してこれ以上開くことはない。
【図面の簡単な説明】
【００３６】
【図１】本発明による地盤の改良方法の概要を時系列で示す図で、（Ａ）（Ｂ）（Ｃ）（Ｄ）の順番で作業が進行する。
【図２】本発明によるスクリュードリルの形状例を示し、（Ａ）は平面図で、（Ｂ）は正面図で、（Ｃ）はＡ−Ａ断面図である。
【図３】スクリュードリルを用いて穴を施工する際の方法例を示す図で、（Ａ）は作業開始前で、（Ｂ）は作業中である。
【図４】スクリュードリルによって地盤中の土砂をすくい上げる場合の施工方法を示す図で、（Ａ）（Ｂ）（Ｃ）（Ｄ）の順番で作業が進行する。
【図５】比較的地盤が固い場合に適応される施工方法の概要を時系列で示す図で、（Ａ）（Ｂ）（Ｃ）（Ｄ）の順番で作業が進行する。
【図６】スクリュードリルを抜き取った後、骨材を転圧パイプで突き固めて強化層を構築する作業を時系列で示す図で、（Ａ）（Ｂ）（Ｃ）（Ｄ）（Ｅ）（Ｆ）の順番で作業が進行する。
【図７】本発明による方法で地盤改良を行い、この上に住宅などの構造物を建築した場合の状況例を示す断面図である。
【図８】スクリュードリルに装備する空気供給手段の具体例を示す断面図で、（Ａ）は掘削時などで弁が閉じた状態で、（Ｂ）はスクリュードリル先端の圧力が低下して弁が開いた状態である。
【図９】転圧パイプに装備する空気供給手段の具体例を示す断面図で、（Ａ）は突き固め時などで弁が閉じた状態で、（Ｂ）は加圧部周辺の圧力が低下して弁が開いた状態である。
【符号の説明】
【００３７】
１  スクリュードリル
２  胴体
３  羽根
４  切羽
５  地盤
６  穴
７  骨材
８  強化層
９  転圧パイプ
１０  基礎
１１  構造物
１２  グリップ部
１３  改質域
１４  パワーショベル
１５  アーム
１６  オーガ
１７  アースドリル
１８  下穴
１９  加圧部
２０  排出土
２１ａ，２１ｂ  空気供給手段
２２ａ，２２ｂ  通気口
２３ａ，２３ｂ  弁
２４ａ，２４ｂ  支点
２５ａ，２５ｂ  ストッパ
２６ａ，２６ｂ  パイプ
【図１】
2006016860.tif 000003
【図２】
2006016860.tif 000004
【図３】
2006016860.tif 000005
【図４】
2006016860.tif 000006
【図５】
2006016860.tif 000007
【図６】
2006016860.tif 000008
【図７】
2006016860.tif 000009
【図８】
2006016860.tif 000010
【図９】
2006016860.tif 000011